(57)【要約】【課題】蓄電装置の周囲に磁束を出射する機器が配置される場合においても、蓄電装置に設けられた電流センサの測定値に与える影響が抑制された蓄電装置を提供する。【解決手段】蓄電装置は、蓄電モジュール３５，３６と、ホール素子を含み、蓄電モジュール３５，３６に設けられた電流センサ３７と、蓄電モジュール３５，３６および電流センサ３７を収容する収容ケース３０と、鉄によって形成された金属板３１とを備え、金属板３１は、収容ケース３０の外側に配置されると共に磁束を発生する外部機器２と、電流センサ３７との間に配置されており、外部機器２に向けて開口するように凹部状に形成されている。【選択図】図７
2019202619.tif 000002
【特許請求の範囲】
【請求項１】
蓄電モジュールと、
ホール素子を含み、前記蓄電モジュールに設けられた電流センサと、
前記蓄電モジュールおよび前記電流センサを収容する収容ケースと、
鉄によって形成された金属板と、
を備え、
前記金属板は、前記収容ケースの外側に配置されると共に磁束を発生する外部機器と、前記電流センサとの間に配置されており、前記外部機器に向けて開口するように凹部状に形成された、蓄電装置。
【請求項２】
蓄電装置と、
前記蓄電装置の周囲に設けられ、内部に収容物を収容可能な収容部と、
前記収容部内に収容された金属板と、
を備え、
前記収容部は、
開口部が形成された収容本体と、
前記開口部を閉塞する蓋とを含み、
前記蓄電装置は、
蓄電モジュールと、
ホール素子を含み、前記蓄電モジュールに設けられた電流センサと、
前記蓄電モジュールおよび前記電流センサを収容する収容ケースと、
を含み、
前記金属板は、前記収容部内に収容される収容物と、前記電流センサとの間に配置されており、前記開口部に向けて開口するように形成された、車両。
【発明の詳細な説明】
【技術分野】
【０００１】
本開示は、蓄電装置および車両に関する。
【背景技術】
【０００２】
音響装置が搭載された車両について各種提案されている。たとえば、特開２００９−３５１６４号公報に記載された車両においては、車室とトランクルームとを区画するパーセルシェルフにスピーカが配置されている。
【０００３】
スピーカは、一般に、振動板と、ボイスコイルと、コイルボビンと、永久磁石とを備える。コイルボビンは、円筒状に形成されており、ボイスコイルはコイルボビンの外周面に巻回されている。永久磁石は、ボイスコイルの周囲を取り囲むように形成されている。
【０００４】
そして、ボイスコイルに音声信号に応じた駆動電流が流れると、永久磁石の周囲に形成されている磁界によって、ボイスコイルに駆動電流に応じた駆動力が加えられ、コイルボビンがボイスコイルと共に振動する。振動板は、コイルボビンに接続されているため、コイルボビンの動きと同調して振動板が振動し、音が発生する。そして、スピーカの周囲には永久磁石やボイスコイルの磁束が漏れる場合がある。
【先行技術文献】
【特許文献】
【０００５】
【特許文献１】特開２００９−０３５１６４号公報
【発明の概要】
【発明が解決しようとする課題】
【０００６】
ハイブリッド車両や電気自動車などの電動車両においては、蓄電装置を備えており、たとえば、トランクルーム内などに収容されている。
【０００７】
蓄電装置は、一般に、蓄電モジュールと、電流センサなどとを備える。電流センサは、たとえば、蓄電モジュールに設けられた配線やバスバーの周囲に配置されたホール素子を含む。ホール素子は、配線などの周囲に形成される磁束密度を測定することで、配線などを流れる電流量を測定する。
【０００８】
このため、たとえば、スピーカなどのように周囲に磁束を出射する機器が蓄電装置の近傍に配置されると、蓄電装置内に磁束が入り込み、電流センサが測定する磁束密度に影響をあたえ、電流センサが測定する測定値が不正確なものとなるおそれがある。
【０００９】
本開示は、上記のような課題に鑑みてなされたものであって、その目的は、蓄電装置の周囲に磁束を出射する機器が配置される場合においても、蓄電装置に設けられた電流センサの測定値に与える影響が抑制された蓄電装置および車両を提供することである。
【課題を解決するための手段】
【００１０】
本開示に係る蓄電装置は、蓄電モジュールと、ホール素子を含み、蓄電モジュールに設けられた電流センサと、蓄電モジュールおよび電流センサを収容する収容ケースと、鉄によって形成された金属板とを備え、金属板は、収容ケースの外側に配置されると共に磁束を発生する外部機器と、電流センサとの間に配置されており、外部機器に向けて開口するように凹部状に形成されている。
【００１１】
上記の蓄電装置によれば、外部機器から磁束が蓄電装置に向けて出射されたとしても、電流センサに入射する前に金属板に入射する。金属板は、鉄によって形成されており、透磁率が高いため、金属板に入射した磁束は、金属板内を流れる。
【００１２】
金属板は、外部機器に向けて開口するように形成されているため、金属板内を流れた磁束は、金属板の開口部側から出射して、外部機器に戻すことができる。
【００１３】
これにより、外部機器からの磁束が電流センサのホール素子に入射することを抑制することができ、電流センサの測定値が外部機器からの磁束の影響を受けることを抑制することができる。
【００１４】
本開示に係る車両は、蓄電装置と、蓄電装置の周囲に設けられ、内部に収容物を収容可能な収容部と、収容部内に収容された金属板とを備える。上記収容部は、開口部が形成された収容本体と、開口部を閉塞する蓋と、収容本体内に配置された金属板とを含む。上記蓄電装置は、蓄電モジュールと、ホール素子を含み、蓄電モジュールに設けられた電流センサと、蓄電モジュールおよび電流センサを収容する収容ケースと含む。上記金属板は、収容部内に収容される収容物と、電流センサとの間に配置されており、開口部に向けて開口するように形成される。
【００１５】
上記の車両によれば、収容部内に永久磁石などのように磁束を発生する部材を含む機器が配置されたとしても、電流センサに当該機器からの磁束が入射することを抑制することができる。
【発明の効果】
【００１６】
本開示に係る蓄電装置および車両によれば、蓄電装置の周囲に磁束を出射する機器が配置される場合においても、蓄電装置に設けられた電流センサの測定値に与える影響を抑制することができる。
【図面の簡単な説明】
【００１７】
【図１】本実施の形態に係る蓄電装置１および音響機器２，３を示す斜視図である。
【図２】音響機器２を示す断面図である。
【図３】図１に示す状態から音響機器２，３を取り外した状態を示す蓄電装置１である。
【図４】蓄電ケース３０および金属板３１，３２を省略して、蓄電装置１の内部構成を示す斜視図である。
【図５】電流センサ３７の構成を模式的に示す模式図である。
【図６】ホール素子５１を模式的に示す斜視図である。
【図７】図１に示すＶＩＩ−ＶＩＩ線における断面を模式的に示す断面図である。
【図８】図１に示すＶＩＩＩ−ＶＩＩＩ線における断面を模式的に示す断面図である。
【図９】金属板３１を示す斜視図である。
【図１０】本実施の形態に係る蓄電装置１の変形例を示す断面図である。
【発明を実施するための形態】
【００１８】
図１から図１０を用いて、本実施の形態に係る蓄電装置について説明する。図１から図１０に示す構成のうち、同一または実質的に同一の構成については、同一の符号を付して重複した説明を省略する場合がある。なお、実施の形態に示す構成において、請求項に記載された構成に対応する構成には、括弧書きで請求項の構成を併記する場合がある。図１は、本実施の形態に係る蓄電装置１および音響機器（外部機器）２，３を示す斜視図である。
【００１９】
蓄電装置１は、フロアボード１９の下面側に配置されており、音響機器２，３は、フロアボード１９の上面に設けられている。なお、フロアボード１９は、たとえば、トランクルームの底面を形成する板状部材である。フロアボード１９は、たとえば、樹脂材料などによって形成されている。
【００２０】
蓄電装置１は、略直方体形状に形成されており、蓄電装置１は、下面板４と、上面板５と、短端板６，７と、長側板８，９とを含む。なお、下面板４および上面板５は、高さ方向Ｈに配列しており、短端板６および短端板７は、長手方向Ｌに配列している。長側板８および長側板９は、幅方向Ｗに配列している。
【００２１】
音響機器２および音響機器３は、フロアボード１９を間に挟んで、上面板５の上方に設けられており、音響機器２および音響機器３は長手方向Ｌに間隔をあけて配置されている。音響機器２および音響機器３は、略同一構造であるため、音響機器２の構成について説明する。
【００２２】
図２は、音響機器２を示す断面図である。音響機器２は、ケース１０と、コイルボビン１１とボイスコイル１２と、永久磁石１３と、上側ヨーク１４と、下側ヨーク１５と、ポール部１６と、支持枠１７と、振動板１８とを備える。
【００２３】
ケース１０は、コイルボビン１１、ボイスコイル１２、永久磁石１３、上側ヨーク１４、下側ヨーク１５、ポール部１６、支持枠１７および振動板１８を内部に収容している。ケース１０の上面には、開口部２２が形成されている。
【００２４】
コイルボビン１１は、中空円柱状に形成されている。ボイスコイル１２は、コイルボビン１１の外周面に設けられている。コイルボビン１１は、上下方向に延びる巻回軸線Ｏ１の周囲を取り囲むように形成されている。
【００２５】
永久磁石１３は、ボイスコイル１２の周囲を取り囲むように環状に形成されている。永久磁石１３の中央部には、中空部２０が形成されており、この中空部２０内にボイスコイル１２およびコイルボビン１１が挿入されている。そして、巻回軸線Ｏ１が、中空部２０の中心を通るように、永久磁石１３が配置されている。
【００２６】
上側ヨーク１４は、永久磁石１３の上面に配置されている。上側ヨーク１４の中央部には貫通孔２１が形成されており、貫通孔２１内にコイルボビン１１およびボイスコイル１２が配置されている。
【００２７】
下側ヨーク１５は、永久磁石１３の下面に配置されている。下側ヨーク１５は、板状に形成されている。
【００２８】
ポール部１６は、下側ヨーク１５の中央部から上方に向けて延びている。ポール部１６の外周面にコイルボビン１１が配置されており、コイルボビン１１は、ポール部１６の周面に沿って高さ方向Ｈに移動可能に設けられている。
【００２９】
永久磁石１３の上面側は、たとえば、Ｎ極であり、永久磁石１３の下面はＳ極である。このため、磁束ＭＦ１は、永久磁石１３の上面から上側ヨーク１４内に入り込み、その後、貫通孔２１の内周面からボイスコイル１２およびポール部１６内に入り込む。そして、磁束ＭＦ１は、ポール部１６および下側ヨーク１５を通り、永久磁石１３の下面に戻るように流れる。
【００３０】
支持枠１７は、上側ヨーク１４の上面に配置されており、支持枠１７は、上側ヨーク１４の上面から開口部２２に向けて延びている。支持枠１７の上端部はケース１０の内周面に接続されている。なお、支持枠１７は、上側ヨーク１４の上面から開口部２２側に向かうにつれて、開口面積が広がるように形成されている。
【００３１】
振動板１８は、支持枠１７内に配置されており、振動板１８は、コイルボビン１１の上端部および支持枠１７の上端部に接続されている。
【００３２】
そして、音響機器２が駆動する際には、ボイスコイル１２に音声データに応じた駆動電流が流れる。ボイスコイル１２に駆動電流が流れると、永久磁石１３の周囲に形成された磁界によって、ボイスコイル１２に駆動電流に応じた駆動力が高さ方向Ｈに加えられる。これにより、ボイスコイル１２が装着されたコイルボビン１１が、ボイスコイル１２と共に、高さ方向Ｈに振動する。
【００３３】
振動板１８は、コイルボビン１１の上端部に接続されているため、振動板１８が振動することで音が発生する。
【００３４】
ここで、永久磁石１３からの磁束ＭＦ１がポール部１６から下側ヨーク１５に入り込んだ後に、下側ヨーク１５の下面から音響機器２の外部に漏れる場合がある。なお、永久磁石１３の中空部２０の中心を巻回軸線Ｏ１が通るように、永久磁石１３が配置されているため、音響機器２の底面のうち巻回軸線Ｏ１との交点およびその周囲から主に磁束Ｍ１が外部に漏れる。
【００３５】
また、ボイスコイル１２に駆動電流が流れることで、ボイスコイル１２の周囲にも磁束ＭＦ２が形成される。ボイスコイル１２は上下方向に延びる巻回軸線Ｏ１の周囲を取り囲むように形成されているため、ボイスコイル１２の周囲に形成された磁束ＭＦ２も、下側ヨーク１５の下面から音響機器２の外部に漏れることがある。なお、具体的には、ボイスコイル１２は、巻回軸線Ｏ１の周囲を取り囲むように形成されているため、音響機器２の底面のうち、巻回軸線Ｏ１との交点およびその周囲から磁束ＭＧ２が主に外部に漏れる。
【００３６】
なお、音響機器２の構成などについて説明したが、音響機器３も音響機器２と同様に構成されているため、音響機器３が駆動した際に、音響機器３の下面側から磁束が漏れることがある。
【００３７】
図３は、図１に示す状態から音響機器２，３およびフロアボード１９を取り外した状態を示す蓄電装置１である。蓄電装置１は、金属板３１および金属板３２を含み、金属板３１および金属板３２は、上面板５の下面に設けられている。
【００３８】
図３および図１を参照して、金属板３１は、上面板５を間に挟んで、音響機器２の下方に配置されており、金属板３２は、上面板５を間に挟んで、音響機器３の下方に配置されている。
【００３９】
図４は、蓄電ケース３０および金属板３１，３２を省略して、蓄電装置１の内部構成を示す斜視図である。
【００４０】
蓄電装置１は、幅方向Ｗに配列する２つの蓄電モジュール３５および蓄電モジュール３６と、電流センサ３７とを含む。
【００４１】
蓄電モジュール３５は、複数の蓄電セル３８と、複数のバスバー３９と、終端バスバー４０と、接続バスバー４１とを含む。
【００４２】
複数の蓄電セル３８は長手方向Ｌに配列しており、各蓄電セル３８には正極端子４２および負極端子４３が設けられている。
【００４３】
各バスバー３９は、長手方向Ｌに隣り合う蓄電セル３８の正極端子４２および負極端子４３を接続しており、長手方向Ｌに隣り合う蓄電セル３８を電気的に直列に接続している。
【００４４】
蓄電モジュール３５において、長手方向Ｌの一端には、蓄電セル３８Ａが位置しており、長手方向Ｌの他端には、蓄電セル３８Ｂが接続されている。
【００４５】
終端バスバー４０は、蓄電セル３８Ａの正極端子４２に接続されている。接続バスバー４１は、蓄電セル３８Ｂの負極端子４３に接続されている。
【００４６】
蓄電モジュール３６は、長手方向Ｌに配列する複数の蓄電セル４５と、複数のバスバー４６と、終端バスバー４７とを含む。バスバー４６は、長手方向Ｌに隣り合う蓄電セル４５を電気的に直列に接続している。蓄電モジュール３６において、長手方向Ｌの一端には、蓄電セル４５Ａが位置しており、長手方向Ｌの他端には、蓄電セル４５Ｂが位置している。
【００４７】
終端バスバー４７は、蓄電セル４５Ａの負極端子４３に接続されている。接続バスバー４１は、蓄電セル３８Ｂと、蓄電セル４５Ｂとを電気的に直列に接続している。電流センサ３７は、終端バスバー４０に設けられている。
【００４８】
図５は、電流センサ３７の構成を模式的に示す模式図である。電流センサ３７は、磁性体コア５０と、ホール素子５１と、信号線５２，５３と、電流配線５４，５５とを含む。
【００４９】
磁性体コア５０は、終端バスバー４０の周囲を取り囲むように形成されており、磁性体コア５０は、ギャップ５７を挟んで対向する端部５８および端部５９を含む。
【００５０】
図６は、ホール素子５１を模式的に示す斜視図である。ホール素子５１は、板状に形成された半導体基板６０と、複数の極板７０，７１，７２，７３とを含む。
【００５１】
半導体基板６０の上面６２は、図５に示す磁性体コア５０の端部５８と対向しており、下面６１は、端部５９と対向している。
【００５２】
極板７０および極板７１は、Ｄ１方向に配列する側面６３および側面６４に設けられている。極板７２および極板７３は、Ｄ２方向に配列する側面６５および側面６６に設けられている。極板７０，７１に信号線５２，５３が接続されており、極板７２，７３には、電流配線５４，５５が接続されている。電流配線５４，５５は、図５に示す外部電源６７に接続されている。
【００５３】
上記のように構成された電流センサ３７が終端バスバー４０内を流れる電流量を測定するときについて説明する。
【００５４】
図５において、終端バスバー４０内を電流が流れると、終端バスバー４０内を流れた電流量に応じて、終端バスバー４０の周囲に磁界が発生する。これにより、磁性体コア５０内に磁束が流れる。そして、ギャップ５７において、たとえば、端部５８から端部５９に向けて磁束が流れる。
【００５５】
図６において、極板７３から極板７２に向けて電流が流れている状態で、上面６２から下面６１に向けて磁束が半導体基板６０内を通ると上面６２に入射した磁束の磁束密度に応じたホール電圧が極板７０および極板７１の間で生じる。このホール電圧を検出することで、終端バスバー４０内を流れる電流量を測定することができる。
【００５６】
図７は、図１に示すＶＩＩ−ＶＩＩ線における断面を模式的に示す断面図である。この図７に示すように、金属板３１は、蓄電ケース３０の上面板５の下面に設けられている。
【００５７】
金属板３１は、音響機器２および電流センサ３７の間に配置されている。具体的には、ボイスコイル１２および永久磁石１３を磁束発生機器７５とする。そして、巻回軸線Ｏ１と音響機器２の底面との交点を交点Ｏ２とすると、磁束発生機器７５の交点Ｏ２と、電流センサ３７との間に、金属板３１が配置されている。図８は、図１に示すＶＩＩＩ−ＶＩＩＩ線における断面図である。この図８においても、磁束発生機器７５の交点Ｏ２と、電流センサ３７との間に、金属板３１が配置されている。すなわち、図７および図８に示すように、長手方向Ｌおよび幅方向Ｗのいずれにおいても、電流センサ３７および磁束発生機器７５の間に金属板３１が配置されている。なお、「電流センサおよび音響機器（外部機器）の間に金属板が配置されている」とは、物理的に電流センサ３７および磁束発生機器７５の間に金属板３１が配置されている場合に限られず、磁束発生機器７５からの磁束ＭＦ１，ＭＦ２が電流センサ３７に達することをできる位置に金属板３１が配置されている場合も含む。
【００５８】
図９は、金属板３１を示す斜視図である。金属板３１は、上方に向けて開口するように凹部状に形成されている。金属板３１は、本体部８１と、本体部８１の上端に形成されたフランジ部８２とを含む。本体部８１の上端辺は環状に延びており、この環状に延びる上端辺によって開口部８０が形成されている。開口部８０は、音響機器２に向けて開口するように形成されている。フランジ部８２は、本体部８１の上端辺から水平方向に延びており、上面板５の下面に固定されている。
【００５９】
本体部８１は、底部側から開口部８０に向かうにつれて、本体部８１の内表面の距離Ｌ１が大きくなるように湾曲している。
【００６０】
そして、金属板３１は、鉄によって形成されている。鉄の透磁率は、たとえば、アルミニウムよりも高い。なお、図３に示す金属板３２も金属板３１と同一の形状に形成されている。
【００６１】
上記のように構成された蓄電装置１において、たとえば、図７に示すように音響機器２の下面側から磁束ＭＦ１、ＭＦ２が出射される場合がある。
【００６２】
この際、フロアボード１９は樹脂などによって形成されており、磁束ＭＦ１、ＭＦ２は、フロアボード１９を通過する。そして、磁束ＭＦ１，ＭＦ２が蓄電装置１の上面板５を通過して、蓄電装置１内に入り込むことが考えられる。
【００６３】
蓄電装置１内に入り込んだ磁束ＭＦ１，ＭＦ２は、金属板３１に入射する。金属板３１は、透磁率の高い鉄によって形成されているため、金属板３１内に入り込んだ磁束ＭＦ１，ＭＦ２は、金属板３１内を流れる。そして、具体的には、図９に示す本体部８１の内表面に入射し、その後、開口部８０に向けて本体部８１内を磁束ＭＦ１，ＭＦ２が流れる。その後、磁束ＭＧ１，ＭＧ２は、本体部８１の上端辺から上方に向けて出射する。
【００６４】
このように、音響機器２から出射された磁束ＭＦ１，ＭＦ２が蓄電装置１内に一旦入り込んだとしても、音響機器２側に戻すことができる。これにより、図６に示す半導体基板６０に磁束ＭＧ１，ＭＧ２が入射することを抑制することができ、極板７０および極板７１の間に生じるホール電圧が変動することを抑制することができる。これにより、信号線５２，５３からの出力値が変動することを抑制することができ、終端バスバー４０内を流れる電流量を正確に測定することができる。
【００６５】
なお、図３に示す金属板３２も金属板３１と同様に形成されており、音響機器３から出射された磁束が蓄電装置１内に入り込んだとしても、音響機器３に向けて戻すことができ、音響機器３からの磁束が電流センサ３７に入射することを抑制することができる。
【００６６】
なお、本実施の形態においては、磁束を発生する機器として、音響機器３を例示したが、音響機器３以外の機器であっても、コイルや永久磁石を有する機器であり、磁束を発生する機器を音響機器２，３に替えて配置するようにしてもよい。
【００６７】
図１０は、本実施の形態に係る蓄電装置１の変形例である蓄電装置１Ａを示す断面図である。この図１０に示す例においては、蓄電装置１Ａ、後述する金属板３１Ａおよびフロアボード１９などは車両に搭載されている。フロアボード１９は、たとえば、車両のラゲッジルームの底面に配置されている。フロアボード１９の下面側に蓄電装置１Ａが配置されている。
【００６８】
フロアボード１９には、収容ボックス８５が形成されている。収容ボックス８５は、上方に向けて開口する開口部が形成されたボックス本体８６と、ボックス本体８６の開口部を閉塞する蓋８７とを含む。
【００６９】
そして金属板３１Ａは、ボックス本体８６内に収容されている。なお、金属板３１Ａは上記の金属板３１と同様の形状に形成されており、上方に向けて開口するように形成されており、ボックス本体８６の開口部に向けて開口するように形成されている。そして、金属板３１Ａは、鉄によって形成されている。
【００７０】
上記のように構成された車両および蓄電装置１Ａにおいて、収容ボックス８５内に強力な永久磁石などの収容物が収容されると、収容物と電流センサ３７との間に金属板３１Ａが配置される。そして、永久磁石などの収容物から出射された磁束が蓄電装置１Ａ内に磁束が入射することを抑制することができ、電流センサ３７に当該永久磁石からの磁束が入射することを抑制することができる。さらに、金属板３１Ａ内に入射した磁束は、金属板３１Ａ内を通り、金属板３１Ａの開口部から外部に出射する。金属板３１Ａの開口部は、ボックス本体８６の開口部に向けて開口しているため、蓄電装置１Ａに向けて磁束が出射されることを抑制することができる。
【００７１】
今回開示された実施の形態はすべての点で例示であって制限的なものではないと考えられるべきである。本発明の範囲は請求の範囲によって示され、請求の範囲と均等の意味および範囲内でのすべての変更が含まれることが意図される。
【符号の説明】
【００７２】
１，１Ａ  蓄電装置、２，３  音響機器、４  下面板、５  上面板、６，７  短端板、８，９  長側板、１０  ケース、１１  コイルボビン、１２  ボイスコイル、１３  永久磁石、１４  上側ヨーク、１５  下側ヨーク、１６  ポール部、１７  支持枠、１８  振動板、１９  フロアボード、２０  中空部、２１  貫通孔、２２，８０  開口部、３０  蓄電ケース、３１，３１Ａ，３２  金属板、３５，３６  蓄電モジュール、３７  電流センサ、３８，３８Ａ，３８Ｂ，４５，４５Ａ，４５Ｂ  蓄電セル、３９，４６  バスバー、４０，４７  終端バスバー、４１  接続バスバー、４２  正極端子、４３  負極端子、５０  磁性体コア、５１  ホール素子、５２，５３  信号線、５４，５５  電流配線、５７  ギャップ、５８，５９  端部、６０  半導体基板、６１  下面、６２  上面、６３，６４，６５，６６  側面、６７  外部電源、７０，７１，７２，７３  極板、８１  本体部、８２  フランジ部、８５  収容ボックス、８６  ボックス本体、８７  蓋、Ｈ  高さ方向、Ｌ  長手方向、Ｌ１  距離、ＭＦ１，ＭＦ２  磁束、Ｏ  巻回軸線、Ｗ  幅方向。
【図１】
2019202619.tif 000003
【図２】
2019202619.tif 000004
【図３】
2019202619.tif 000005
【図４】
2019202619.tif 000006
【図５】
2019202619.tif 000007
【図６】
2019202619.tif 000008
【図７】
2019202619.tif 000009
【図８】
2019202619.tif 000010
【図９】
2019202619.tif 000011
【図１０】
2019202619.tif 000012